(57)【要約】      （修正有）【課題】携帯性と閲覧性を両立した表示装置を提供する。【解決手段】表示装置は、第１パネルと、第２パネルと、第１パネルと第２パネルを相対的に回転可能に連結するヒンジと、第１パネルの一方の平坦面である第１面上に保持される第１のタッチパネル１１０４ａと、第２パネルの一方の平坦面である第２面上に保持される第２のタッチパネル１１０４ｃと、第１面上および第２面上に切れ目なく設けられた表示部と、第１パネルと第２パネルの相対的な回転によって、第１面と第２面が互いに平行で逆方向に向き表示部が折り畳まれる収納状態と、第１面と第２面が互いに平行で同じ方向に向き表示部が展開される展開状態に遷移が可能であって、展開状態では、複数のタッチパネルの隣接部１１０１ａ、１１０１ｃの双方にタッチがなされた場合に、表示部の上であって複数のタッチパネルが設けられていない領域がタッチされたたと判断するタッチ制御部とを備える。【選択図】図９
2020057123.tif 000002
【特許請求の範囲】
【請求項１】
第１パネルと、
第２パネルと、
前記第１パネルと前記第２パネルを相対的に回転可能に連結するヒンジと、
前記第１パネルの一方の平坦面である第１面上に保持される第１のタッチパネルと、
前記第２パネルの一方の平坦面である第２面上に保持される第２のタッチパネルと、
前記第１面上および前記第２面上に切れ目なく設けられた表示部と、
前記第１パネルと前記第２パネルの相対的な回転によって、前記第１面と前記第２面が互いに平行で逆方向に向き前記表示部が折り畳まれる収納状態と、前記第１面と前記第２面が互いに平行で同じ方向に向き前記表示部が展開される展開状態に遷移が可能であって、
前記展開状態では、前記複数のタッチパネルの隣接部の双方にタッチがなされた場合に前記表示部の上であって前記複数のタッチパネルが設けられていない領域がタッチされたたと判断するタッチ制御部と、
を備えたことを特徴とする表示装置。
【請求項２】
前記複数のタッチパネルの隣接部ではない領域に双方にタッチがなされた後、タッチパネルへの離間動作が判断されずに前記複数のタッチパネルの隣接部の双方にタッチがなされた場合、前記複数のタッチパネルが各々タッチされたと判断することを特徴とするタッチ制御部を備えた請求項１に記載の表示装置。
【請求項３】
前記複数のタッチパネルの隣接部の双方にタッチがなされた後、タッチパネルへの離間動作が判断されずに前記複数のタッチパネルの隣接部ではない領域に双方にタッチがなされた場合、前記複数のタッチパネルが設けられていない領域へのタッチ判断を棄却して改めて、隣接部の双方に各々タッチされたと判断することを特徴とするタッチ制御部を備えた請求項１に記載の表示装置。
【発明の詳細な説明】
【技術分野】
【０００１】
本発明は、可撓性を有する表示部を備えた表示装置に関する。特に装置表面にタッチパネルを備えた表示装置に関する。
【背景技術】
【０００２】
従来、可撓性を有する表示部を変形することで、装置サイズが小さい収納状態と表示面積の大きい展開状態を切り替えることで、携帯性と閲覧性を両立できる表示装置が知られている。
【０００３】
特許文献１には、ヒンジの回転によって複数の支持体の相対角度が変化し、表示部の面積が広くなる電子機器が開示されている。この発明によると、表示領域が連続した大面積の表示面が提供される。
【０００４】
特許文献２には、複数のタッチパネルに跨る操作を行う場合に、複数のタッチパネルへの入力に基づいて、適当な表示を行う方法が開示されている。
【先行技術文献】
【特許文献】
【０００５】
【特許文献１】特開２０１５−１８７７２５号公報
【特許文献２】特開２０１２−１５５５９０号公報
【発明の概要】
【発明が解決しようとする課題】
【０００６】
特許文献１に記載のディスプレイ装置は、連続した大面積の表示面に対するタッチパネルの操作等に関しては具体的な提案がなされていなかった。
【０００７】
特許文献２記載の方法を用いると、２つに分割された表示面に対して択一的に適当な選択がなされるものの、連続した大面積の表示面に対するタッチパネルの操作に適したものではなかった。
【０００８】
本発明の目的は、携帯性と閲覧性を両立しながら、表示面積を大きく確保するとともに適当なタッチパネル操作可能な表示装置を提供することにある。
【課題を解決するための手段】
【０００９】
上記の目的を達成するために、本発明に係る表示装置は、
第１パネルと、
第２パネルと、
前記第１パネルと前記第２パネルを相対的に回転可能に連結するヒンジと、
前記第１パネルの一方の平坦面である第１面上に保持される第１のタッチパネルと、
前記第２パネルの一方の平坦面である第２面上に保持される第２のタッチパネルと、
前記第１面上および前記第２面上に切れ目なく設けられた表示部と、
前記第１パネルと前記第２パネルの相対的な回転によって、前記第１面と前記第２面が互いに平行で逆方向に向き前記表示部が折り畳まれる収納状態と、前記第１面と前記第２面が互いに平行で同じ方向に向き前記表示部が展開される展開状態に遷移が可能であって、
前記展開状態では、前記複数のタッチパネルの隣接部の双方にタッチがなされた場合に前記表示部の上であって前記複数のタッチパネルが設けられていない領域がタッチされたたと判断するタッチ制御部と、を備えたことを特徴とする。
【発明の効果】
【００１０】
本発明に係る表示装置によれば、複数の平面部からなるディスプレイにおいて、その境界付近をタッチされた場合にも適当なタッチ検知が可能となる。
【図面の簡単な説明】
【００１１】
【図１】収納状態における表示装置１００の正面図および側面図および断面図
【図２】収納状態における表示装置１００の摺動部１０３ａ周辺を拡大した断面図
【図３】収納状態における表示装置１００のカバー部１０１ｂおよびカバー部１０２ｃ周辺を拡大した断面図
【図４】収納状態における表示装置１００の芯部１０３ｂ周辺を拡大した断面図
【図５】ヒンジを回転させたときの表示装置１００の斜視図
【図６】タッチパネルの配置および隣接部を説明する図
【図７】タッチ制御部など本発明の要部の電気的構成を説明する図
【図８】屈曲部付近をタッチする様子を説明する図
【図９】屈曲部付近をタッチしたときの検知状態を説明する図
【図１０】第１パネルと第２のパネルを移動する様に操作する様子を説明する図
【図１１】第１パネルと第２のパネルを移動する様に操作した場合の、本発明での検知を説明する図
【図１２】第１パネルと第２のパネルを移動する様に操作した場合の、従来手法での検知を説明する図
【図１３】ピンチアウト動作を説明する図
【図１４】ピンチイン動作を説明する図
【図１５】本発明の動作を説明するフローチャート
【発明を実施するための形態】
【００１２】
以下、本発明を実施するための形態について、図面を参照しながら説明する。
【００１３】
［第１実施形態］
（構成の説明）
図１は、第１実施形態である表示装置１００を示す図である。各座標軸の方向をＸ、Ｙ、Ｚとして図中に示す。図１は、正面図、側面図、Ｘ軸と直交するＡ−Ａ断面による断面図、Ｙ軸と直交するＢ−Ｂ断面による断面図からなる。なお、各部の形状はＡ−Ａ断面を基準に対称形状である。
【００１４】
矩形平板形状の第１パネル１０１は、Ｘ軸と平行な一辺の両端にヒンジ部１０１ａを備えている。また、矩形平板形状の第２パネル１０２は、Ｘ軸と平行な一辺の両端にヒンジ部１０２ａを備えている。ヒンジ部１０１ａとヒンジ部１０２ａは、Ｘ軸と平行な回転軸ＡＸ０を中心に回転可能に連結され、第１パネル１０１と第２パネル１０２は、Ｘ軸と平行な回転軸ＡＸ０を中心に相対的に回転可能である。回転方向は図中のθで示し、図１はθ＝０°の状態を示す。ヒンジ部１０１ａとヒンジ部１０２ａを合わせたものが請求項中のヒンジに相当する。
【００１５】
ここで、第１パネル１０１の表裏のうち一方の平坦面をＡ面とし、第２パネル１０２の表裏のうち一方の平坦面をＢ面とする。Ａ面は請求項中の第１面に相当し、Ｂ面は請求項中の第２面に相当する。第１パネル１０１のＡ面は正のＺ方向に向いている。また、図１に示すθ＝０°の状態では、第２パネル１０２のＢ面は負のＺ方向に向いている。すなわち、第１パネル１０１のＡ面と第２パネル１０２のＢ面は、互いに平行で逆方向に向いている。この状態を収納状態とする。
【００１６】
矩形平板形状のスライダー１０３は、第２パネル１０２のＢ面上に互いに平行となるように保持されている。スライダー１０３のＢ面との対向面と反対側の面をＣ面とする。スライダー１０３は、Ｘ方向の両端に摺動部１０３ａを備えている。また、第２パネル１０２は、Ｘ方向の両端にコの字断面のガイド部１０２ｂを備えている。
【００１７】
図２は、図１のＢ−Ｂ断面図のうち、摺動部１０３ａ周辺を拡大した断面図である。摺動部１０３ａは、正負のＸ方向に対向するガイド部１０２ｂにそれぞれ摺動可能に当接している。また、摺動部１０３ａは、Ｂ面の法線方向の両側に対向するガイド部１０２ｂにそれぞれ摺動可能に当接している。したがって、スライダー１０３は、Ｘ方向およびＢ面の法線方向への移動が規制されるとともに、Ｘ方向およびＢ面の法線方向に直交するＳ方向（図１に矢印で示す）に移動可能なように、第２パネル１０２に保持されている。前述の通り、Ｘ方向はヒンジの回転軸である軸ＡＸ０の軸方向と平行である。したがって、スライダー１０３は、ヒンジの回転軸である軸ＡＸ０の軸方向およびＢ面の法線方向に直交するＳ方向に移動可能なように第２パネル１０２のＢ面上に保持されている。Ｓ方向は、図１〜４で示す収納状態ではＹ方向に平行である。スライダー１０３の負のＹ方向の一端には、Ｘ軸に平行な軸ＡＸ２を中心とした半径Ｒの円筒形状の芯部１０３ｂが設けられている。
【００１８】
矩形で薄いフィルム状のディスプレイ１０４は、有機ＥＬなどから形成されており、少なくとも一部が可撓性を有している。ディスプレイ１０４が、請求項の表示部に対応する。ディスプレイ１０４の表裏のうち１面には、表示内容を自在に変更可能な表示面を備えている。ディスプレイ１０４は、Ｘ軸に平行な境界線Ｆ１、Ｆ２によって、仮想的な３つの部分である第１平面部１０４ａ、屈曲部１０４ｂ、第２平面部１０４ｃに分けられる。第１平面部１０４ａは、表示面と逆の面が第１パネル１０１のＡ面上に両面テープなどで固定されている。第２平面部１０４ｃは、表示面と逆の面がスライダー１０３のＣ面上に両面テープなどで固定されている。したがって、第２平面部１０４ｃおよびスライダー１０３は、ヒンジの回転軸である軸ＡＸ０の軸方向およびＢ面の法線方向に直交するＳ方向に移動可能なように第２パネル１０２のＢ面上に保持されていることになる。第１平面部１０４ａと第２平面部１０４ｃの間の屈曲部１０４ｂは、可撓性を有し、後述のガイド部１０１ｃおよび芯部１０３ｂに対して離間可能にガイドされている。ここで説明した様にディスプレイ１０４は、２つの平面の間に切れ目なく設けられており、請求項での表示部に相当する。
【００１９】
本発明の要部を形成するタッチパネルは、第１平面部１０４ａと第２平面部１０４ｃのそれぞれに設けられている。第１平面部１０４ａに設けられた第１のタッチパネルを１１０４ａ、第２平面部１０４ｃに設けられた第２のタッチパネルを１１０４ｃとする。タッチパネルは表面に生じる傷への耐性を高めるために一般的には高い表面硬度が求められる。一般的には表面硬度と耐久性のある曲げ時の曲率（小さく折り畳むには小さい曲率半径に沿って曲げる必要がある）には背反する特性がある。すなわち、タッチパネルの様に高い表面硬度を持つものは曲げることが難しい。
【００２０】
一方で、本発明は携帯性と閲覧性の両立を目的としている。そのため、ディスプレイ１０４の屈曲部１０４ｂは可能な限り（ディスプレイ１０４の特性が許す限り）小さい曲率半径で曲げることが望まししい。結果として、タッチパネルをディスプレイ１０４と同じ程度の曲率で曲げることが容易ではない。そのため、本提案にあるように複数の平面部に設けられた複数のタッチパネルと、複数の平面部に切れ目なく設けられた表示部という課題を解決することの意義は大きい。
【００２１】
ここでの第１のタッチパネル１１０４ａおよび第２のタッチパネル１１０４ｃが請求項での第１のタッチパネルおよび第２のタッチパネルに相当する。
【００２２】
第１パネル１０１の正のＹ方向の一端には、ディスプレイ１０４の一部を隠すカバー部１０１ｂが設けられている。また、第２パネル１０２の正のＹ方向の一端には、ディスプレイ１０４の一部を隠すカバー部１０２ｃが設けられている。
【００２３】
図３は、図１のＡ−Ａ断面図のうち、カバー部１０１ｂおよびカバー部１０２ｃ周辺を拡大した断面図である。コの字断面形状のカバー部１０１ｂは、後述の第１平面部１０４ａの端面からｄ１だけディスプレイ１０４の表示面を隠している。ｄ１は、各部品の加工公差や組立公差を考慮して、ディスプレイ１０４の端面がカバー部１０１ｂから露出しないために必要な長さに設定されている。カバー部１０１ｂと第１平面部１０４ａはＹ方向に当接しており、当接面から第１パネル１０１の端面までの距離はｄ０である。
【００２４】
一方、コの字断面形状のカバー部１０２ｃは、後述の第２平面部１０４ｃの端面からｄ１＋ｄ２だけディスプレイ１０４の表示面を隠している。ｄ２は、スライダー１０３が最もＳ方向に移動するときの移動量に設定されている。そのため、スライダー１０３が最もＳ方向に移動しても、ディスプレイ１０４の端面がカバー部１０２ｃから露出しない。カバー部１０２ｃの内部はスライダー１０３の先端とＳ方向に対向している。スライダー１０３は、不図示の付勢手段によって与えられるＳ方向と逆方向の付勢力Ｆによって、第２パネル１０２に対して付勢されている。θ＝０°の収納状態では、図３に示すように、カバー部１０２ｃとスライダー１０３がＳ方向に当接しており、当接面から第２パネル１０２の端面までの距離はｄ０である。このとき、スライダー１０３のＳ方向の移動量ｓ０はゼロとする。
【００２５】
図４は、図１のＡ−Ａ断面図のうち、芯部１０３ａ周辺を拡大した断面図である。第１パネル１０１のＡ面には、負のＹ方向の一端に、Ｘ軸に平行な軸ＡＸ１を中心とした半径Ｒの円筒形状のガイド部１０１ｃが設けられている。Ａ面の法線方向において、Ａ面と軸ＡＸ０の距離、および、Ａ面と軸ＡＸ１の距離はＲである。軸ＡＸ１と軸ＡＸ０との距離はＨ１となっている。ディスプレイ１０４がＡ面に固定されている第１平面部１０４ａと固定されない屈曲部１０４ｂの境界は境界線Ｆ１であり、境界線Ｆ１と軸ＡＸ０とのＹ方向の距離はＨ１となっている。
【００２６】
収納状態では、屈曲部１０４ｂは軸ＡＸ２を中心とした半径Ｒの半円となるように、芯部１０３ｂに沿って折り曲げられている。厳密にはディスプレイ１０４の厚さがあるため、半径Ｒよりわずかに大きい半径となるが、ディスプレイ１０４が充分に薄いとして説明する。カバー部１０２ｃとスライダー１０３をＳ方向に若干の隙間を設け、付勢力Ｆによって屈曲部１０４ｂを付勢することで芯部１０３ｂに沿わせてもよい。
【００２７】
Ｃ面の法線方向において、Ｃ面と軸ＡＸ０の距離、および、Ｃ面と軸ＡＸ２の距離はＲである。すなわち、第１平面部１０４ａとヒンジの回転軸ＡＸ０との距離と、第２平面部１０４ｃとヒンジの回転軸ＡＸ０との距離が等しい。芯部１０３ｂの中心である軸ＡＸ２と軸ＡＸ０との距離はＨ２となっている。ディスプレイ１０４がＣ面に固定されている第２平面部１０４ｃと固定されない屈曲部１０４ｂの境界は境界線Ｆ２であり、境界線Ｆ２と軸ＡＸ０とのＳ方向の距離はＨ２となっている。Ｈ２はＨ１より小さく、Ｒより大きい。また、θ＝０°の収納状態では、軸ＡＸ０、軸ＡＸ１、軸ＡＸ２は、Ａ面およびＣ面を延長した平面に挟まれる空間、すなわち第１平面部１０４ａおよび第２平面部１０４ｃを延長した平面に挟まれる空間であって、Ｚ軸に直交する面上に位置している。本実施例では、以下の関係となるように各部の寸法が定められている。
【００２８】
Ｈ１＝π×Ｒ＞Ｈ２
Ｈ２＝π×Ｒ／２＞Ｒ
ここで、収納状態において第１平面部１０４ａと第２平面部１０４ｃと屈曲部１０４ｂとに囲まれる空間をディスプレイ１０４の内側空間とする。ディスプレイ１０４の内側空間には、ガイド部１０１ｃ、芯部１０３ｂが配置されている。前述のように、芯部１０３ｂの中心であるＡＸ２とＡＸ０との距離Ｈ２はＲより大きい。したがって、収納状態では、ヒンジの回転軸である軸ＡＸ０は、ヒンジの回転方向に垂直なＸ方向から見て、折り畳まれたディスプレイ１０４の内側空間の外側に位置している。
【００２９】
（回転動作の説明）
図５は、ヒンジを回転させたときの表示装置１００の斜視図である。図５（ａ）〜（ｅ）はそれぞれθ＝０°、４５°、９０°、１３５°、１８０°の場合を示す。図５（ａ）に示すθ＝０°の収納状態では、第１パネル１０１のＡ面は正のＺ方向である図中Ａ方向を向き、第２パネル１０２のＢ面は負のＺ方向である図中Ｂ方向を向き、互いに平行で逆方向に向いている。ディスプレイ１０４の第１平面部１０４ａと第２平面部１０４ｃの表示面も互いに平行で逆方向に向いており、ディスプレイ１０４が折り畳まれている。
【００３０】
図５（ｂ）〜（ｄ）に示すように軸ＡＸ０を中心にヒンジを回転させると、Ａ面に対するＢ面の向きが変化する。図５（ｅ）に示すθ＝１８０°の状態では、第１パネル１０１のＡ面は正のＺ方向である図中Ａ方向を向き、第２パネル１０２のＢ面は正のＺ方向である図中Ｂ方向を向き、互いに平行で同じ方向に向いている。この状態を展開状態とする。このとき、ディスプレイ１０４の第１平面部１０４ａと第２平面部１０４ｃの表示面も互いに平行で同じ方向に向いており、ディスプレイ１０４が平坦に展開されている。前述のように、第１平面部１０４ａとヒンジの回転軸ＡＸ０との距離と、第２平面部１０４ｃとヒンジの回転軸ＡＸ０との距離が等しいため、ディスプレイ１０４の全体が平面となる。
【００３１】
すなわち、表示装置１００は、ヒンジの回転による第１パネル１０１と第２パネル１０２を相対的な回転によって、収納状態と展開状態に遷移が可能である。したがって、表示装置１００は、装置サイズが小さい収納状態と表示面積の大きい展開状態を切り替えることで、携帯性と閲覧性を両立できる。
【００３２】
図６はディスプレイ１０４の全体が平面となる状態（＝展開状態）においてディスプレイの表示面から見た図である。ヒンジの状態としては図５（ｅ）の状態にある。前述した様にタッチパネルは平面部に設けられており図６では番号１０４ａと１１０４ａを括弧書きで併記することで、同じ領域にあることを示した。図６において、Ｆ１１，Ｆ１２はＸ軸に平行な境界線である。境界線Ｆ１１によって第１のタッチパネル１１０４ａ上であって屈曲部１０４ｂに近い側に隣接部１１０１ａが定義され、境界線Ｆ１２によって第２のタッチパネル１１０４ｃ上であって屈曲部１０４ｂに近い側に隣接部１１０１ｃが定義される（境界線Ｆ１，Ｆ２はディスプレイに対して定義されＦ１１，Ｆ１２はタッチパネルに対して定義されていることに注意。）。
【００３３】
図７は本発明のタッチ制御部を説明する図である。図７において１００１はパネル状態検知部を、１００２はタッチ制御部を、１００２ａ，１００２ｂ，１００２ｃ，１００２ｄはそれぞれタッチ制御部１００２を構成する読み取り部、判定部、通知部、記憶部を示している。１００３は表示制御部を、１００３ａ、１００３ｂはそれぞれ表示制御部１００３を構成するダウンメッセージ処理、アップメッセージ処理を示している。表示制御部はタッチパネル操作に対応したさらに多くの処理部（ムーブ、ピンチ等）を有しているが、代表的なものとしてダウンメッセージ処理１００３ａ、アップメッセージ処理１００３ｂを例示した。
【００３４】
図７から明らかなようにタッチ制御部にはパネル状態検知部１００１および複数のタッチパネルである第１のタッチパネル１１０４ａ，第２のタッチパネル１１０４ｃが接続されている。パネル状態検知部１００１は展開状態か否かを判断できるものであり、例えば磁石と磁気センサ（ＧＭＲセンサなど）を利用して簡単に構成することが出来る。これらは本件のような形態によらず、可動式モニタを有したカメラなどで多く用いられる技術なので詳細は省略する。第１のタッチパネル１１０４ａおよび第２のタッチパネル１１０４ｃは後述する様に一度のタッチ動作において双方がタッチされる可能性が有る。
【００３５】
タッチ制御部１００２を構成する読み取り部１００２ａは、パネル状態検知部１００１、第１のタッチパネル１１０４ａおよび第２のタッチパネル１１０４ｃの状態を取得することが出来る。適当な周期でパネルの状態を監視する。
【００３６】
タッチ制御部１００２を構成する判定部１００２ｂは、読み取り部１００２ａが取得した信号を基に、パネルが展開状態にあるか否か、およびタッチパネルのどの位置がタッチされたかを判定する。
【００３７】
タッチ制御部１００２を構成する通知部１００２ｃは、タッチ制御部１００２の判断（どのようなタッチ動作がされたかという情報）を表示制御部１００３に通知する。
【００３８】
タッチ制御部１００２を構成する記憶部１００２ｄは、図６で示した隣接部の領域情報や、パネル状態検知部１００１、第１のタッチパネル１１０４ａおよび第２のタッチパネル１１０４ｃの特性情報などを記憶する。例えば、展開状態と判断すべき信号レベルなどを記憶している。
【００３９】
タッチ制御部１００２は、展開状態にあると判断された場合であって、第１のタッチパネル１１０４ａおよび第２のタッチパネル１１０４ｃの双方の隣接部にタッチがされた場合は、タッチ判断を統合して行う。つまり、２つのタッチを検知したのではなく、その間がタッチされたと判断する。結果として、タッチパネルが設けられていない領域がタッチされたたと判断する。この動作については後述する。
【００４０】
表示制御部１００３はタッチ制御部からの情報を受け取って適当な処理を施す。すなわち、現在のアプリケーションまたはＯＳにおいて当該箇所のタッチに対応して、ディスプレイ１０４の表示状態を遷移してユーザーに提示する。例としてはアイコンがクリックされた場合にファイルを展開して表示したりする。表示制御１００３には、アプリケーションやＯＳによって決められたアクションがあり、例としてはダウンメッセージ処理１００３ａ、アップメッセージ１００３ｂなどがある。これらを組み合わせてユーザーの操作に対応する。
【００４１】
具体的に、隣接部がタッチされた時の判断を図８および図９を用いて説明する。図８は隣接部がタッチされる様子を示した図であり、図９はその時のタッチ検知の様子を模式的に示した図である。
【００４２】
図８の様に屈曲部１０４ｂを跨いで第１のタッチパネル１１０４ａ上の隣接部１１０１ａおよび第２のタッチパネル１１０４ｃ上の隣接部１１０１ｃをタッチした場合を考える。多くの場合、タッチパネルは人の指を使って操作される。このとき、同時にタッチされる領域はおおよそ１０ｍｍ弱存在する。屈曲部１０４ｂの大きさはディスプレイ１０４の最小曲率によって決まるが、有機ＥＬなどを用いた場合は前述の１０ｍｍよりも小さくできる可能性が有る。そのため、双方をタッチするという状態がありうる。
【００４３】
図９に示すように第１のタッチパネル１１０４ａ上で検知されたタッチ領域を１００４ａ、第２のタッチパネル１１０４ｃ上で検知されたタッチ領域を１００４ｃとする。この時、図７で示したタッチ制御部１００２は、展開状態にあると判断された場合であって、第１のタッチパネル１１０４ａおよび第２のタッチパネル１１０４ｃの双方の隣接部にタッチがされたと判断する。この時、タッチ制御部１００２は重心若しくは平均などの処理を利用して、屈曲部１０４ｂがタッチされたと判断する。すなわち、タッチパネルが設けられていない領域がタッチされたたと判断する。図９の例では重心である１００５位置がタッチされたと判断される。図から明らかなようにタッチ検出位置１００５は屈曲部１０４ｂ内にある。
【００４４】
従来の提案にあるディスプレイ及びタッチパネルは、複数の平面部から形成されるものであっても表示領域とタッチパネル検出領域が一致するものだった。すなわち、本提案で説明しているように表示があるもののタッチパネルが存在しない個所（この例では屈曲部１０４ｂ）が存在しない。本件は非常に小さな曲率で屈曲可能なディスプレイを用いた装置を想定したときの特有の課題に着目してなされている。
【００４５】
この違いについて、例として本表示装置を撮像装置の背面モニタとして利用した場合を考える。この場合、撮影予備動作中の像をディスプレイ１０４に表示したときに、任意の位置にピントを合わせたいときにタッチ動作で対応する場合を想定する。従来の提案では、映像が複数のモニタに分かれて表示されており、それぞれの面でタッチを検知して処理すれば問題はなかった。一方で、本提案で説明しているように表示面が連続している場合は、表示があるもののタッチパネルが存在しない個所が存在する。そのような箇所へのタッチ判断が出来ないと、任意位置にピントを合わせるというような動作を行うことが出来ない（従来の提案ではタッチパネルが無い個所にはタッチ判断がなされないため）。
【００４６】
図８、図９に示した隣接部の適当な大きさについて述べる。前述した様に指でのタッチはおおよそ１０ｍｍ程度の範囲が検知されるので、隣接部は、１０ｍｍからタッチパネルが存在しない領域の幅寸法（＝屈曲部１０４ｂの幅寸法）を減じた程度の大きさを設定すればよい。例えば屈曲部が４ｍｍであれば隣接部は６ｍｍ程度とすればよい。このようにすることで、２点に独立にタッチした場合と、隣接部付近で２つのタッチパネルが同時に検知されることの競合が発生しにくくなり、タッチ検知が適当に行われる。
【００４７】
別の操作を行った場合での本発明の効果について図１０から図１２を利用して説明する。図１０は操作の概要を示した図である。図１１は本提案での検知の様子を示した図である。図１２は従来の方式での検知の様子を示した図である。
【００４８】
図１０に示すように点１００６でタッチを開始して軌跡１００７に沿って指を動かした場合を考える。軌跡が屈曲部１０４ｂを跨ぐような動きをする場合とする。一般的にはアイコンの移動などに用いる動作である。撮像装置の背面モニタとして利用した場合には拡大画像の表示位置を変更する動作などに割り当てられる。
【００４９】
図１１を本発明の方法を用いた場合について、各点での検知結果について説明する。図１１（ａ）は隣接部の双方にタッチする場合があるように抜き出した図であり、図１１（ｂ）は図１１（ａ）とは別の位相で抜き出した図である。図１１において１０１０，１０１１，１０１２，１０１３，１０１４，１０１５，１０１６はタッチされた領域を示す。１０１０ａ，１０１１ａ，１０１２ａ，１０１３ａ，１０１４ａ，１０１５ａ，１０１６ａはそれぞれタッチ領域１０１０，１０１１，１０１２，１０１３，１０１４，１０１５，１０１６が検出された時にタッチされたと判断する点を示している。図が煩雑になるために図１１（ａ）、図１１（ｂ）分けて図示したが、時系列に並べると、１０１３，１０１０，１０１４，１０１１，１０１５，１０１２，１０１６の順に検知される。
【００５０】
図１１（ａ）に示すように領域１０１１は複数のタッチパネル双方で検知がなされている。つまり図９を用いて説明したのと同様の状態にある。この時タッチ制御部１００２は点１０１１ａがタッチされたと判断する。本発明によると、タッチパネルが設けられていない屈曲部１０４ｂにもタッチ判断がなされるために、適当な軌跡が生成される。すなわち、１０１３ａ，１０１０ａ，１０１４ａ，１０１１ａ，１０１５ａ，１０１２ａ，１０１６ａの順に追うと、多少の歪はあるが元の軌跡１００７に近い軌跡が得られる。つまり操作者の直観に近い応答をすることが出来る。このとき、波形の歪を小さくするにはタッチによって形成される領域に対して、タッチパネルが存在しない領域１０４ｂが十分に小さくなれば良い。これはディスプレイ１０４の可撓特性が進展すれば実現される。
【００５１】
図１２を用いて従来の方法を用いた場合について説明する。図１２（ａ）は図１１（ａ）と同じく隣接部の双方にタッチする場合があるように抜き出した図である。図１２（ｂ）は結果的に得られる軌跡を説明する図である。図１２において１０２１，１０２２，１０２３はタッチされた領域を示す。１０２１ａ，１０２２ａ，１０２３ａはそれぞれタッチ領域１０２１，１０２２，１０２３が検出された時にタッチされたと判断する点を示している。１０３０，１０３１，１０３２は結果的に得られる検出位置の軌跡を示している。特許文献２に示す方法を用いると、複数の画面間を、チャタリングを起こすことなく自然に遷移することが出来る。しかしながら、前述した様にタッチパネルが存在せず、表示が存在するような場合は想定されていない。そのため、図１２（ａ）のタッチ領域１０２２のような位置がタッチされると、タッチパネル１１０４ｃまたはタッチパネル１１０４ａのいずれかの領域を択一的に選択してタッチがなされたと判断する。その結果、検出された位置を繋ぐと、図１２（ｂ）の様になる。すなわち、タッチパネル１１０４ｃの境界付近で検出位置が１０３０に沿って横に移動し、タッチ領域がタッチパネル１１０４ａの方が大きくなると、そちらに判断がジャンプする。この様子を１０３１で図示した。次にタッチパネル１１０４ａの境界付近で検出位置が１０３２に沿って横に移動する。結果として、ユーザーの操作とは異なった軌跡が生成され操作感が低下する。
【００５２】
図１３および図１４を利用して、より高度でユーザーの意図を反映させる判断について説明する。図１３および図１４で説明する操作はピンチイン、ピンチアウトなどと呼ばれる操作に対応し、画面の２点を指示して２点間の距離を変化させる操作に対応する。本表示装置を撮像装置の背面モニタとして利用した場合には画像の縮小や拡大の動作に対応する。また、図１３および図１４で説明する処理は時間的な内容を伴っている。すなわち、図１２までの説明においては、タッチ検出の瞬間にのみ着目していたが、図１３および図１４の説明では前後のタッチ状況によって判断を変更することに特徴がある。
【００５３】
図１３はピンチアウトと呼ばれる操作を模式的に示した図である。図１３（ａ）は操作全体を説明する図であり、図１３（ｂ）は隣接部の境界線Ｆ１１，Ｆ１２を超える様子を説明する図である。ピンチアウトとは２本の指（親指と人差し指など）で同時にタッチをして、その指の間隔を広げるように操作する動きである。図１３の例では点１２１０ａと点１２１０ｂに同時にタッチをして、それぞれ軌跡１２１１ａ，１２１１ｂとなるように操作した場合を考える。
【００５４】
検知や判断の順を図１３（ｂ）の拡大図を利用して説明する。ある時点で２つの領域１２１３がタッチされていたとする。この時ユーザーは２本の指でそれぞれ独立にタッチしている。この時、第２のタッチパネル１１０４ｃ上に点１２１３ａが、第１のタッチパネル１１０４ａ上に点１２１３ｂがそれぞれ検知される。図９などを用いて説明した通り、この瞬間は点１２１５がタッチされたと判断する。その後、軌跡１２１１ａ，１２１１ｂに沿って２本の指がそれぞれ移動し隣接部の境界Ｆ１１，Ｆ１２を超して、２つの領域１２１４がタッチされたとする。この時第２のタッチパネル１１０４ｃ上に点１２１４ａが、第１のタッチパネル１１０４ａ上に点１２１４ｂがそれぞれ検知される。すなわち、複数のタッチパネルの隣接部の双方にタッチがなされた後、タッチパネルへの離間動作が判断されずに（いわゆるアップメッセージが発行されないで）前記複数のタッチパネルの隣接部ではない領域に双方にタッチがなされたことになる。ここでいう離間動作とは指をタッチパネルから離す動作のことを指す。この時は明らかに、ピンチアウト操作を行ったと判断できるので、前記複数のタッチパネルが設けられていない領域１２１５へのタッチ判断を棄却して改めて、隣接部の双方に各々タッチされたと判断する。
【００５５】
撮像装置の背面モニタとして利用した場合を考えると、画像を表示している最中に上記の操作がされると、１２１５のタッチを最初は検出する。（その時点では点１２１５へのタッチの反応を返す。）その後１２１４ａ，１２１４ｂの位置が検出された時点で、ピンチアウト判断をして、点１２１５を中心として画像を拡大してユーザーに提示する。タッチ制御部１００２は判断に供する情報、直前のタッチ検出位置の情報などを、タッチ制御部１００２内の記憶部１００２ｄに格納しておけばよい。
【００５６】
図１４はピンチインと呼ばれる操作を模式的に示した図である。図１４（ａ）は操作全体を説明する図であり、図１４（ｂ）は隣接部の境界線Ｆ１１，Ｆ１２を超える様子を説明する図である。ピンチインとは２本の指（親指と人差し指など）で同時にタッチをして、その指の間隔を狭めるように操作する動きである。図１４の例では点１２２０ａと点１２２０ｂに同時にタッチをして、それぞれ軌跡１２２１ａ，１２２１ｂとなるように操作した場合を考える。
【００５７】
検知や判断の順を図１４（ｂ）の拡大図を利用して説明する。ある時点で２つの領域１２２３がタッチされていたとする。この時ユーザーは２本の指でそれぞれ独立にタッチしている。この時、第２のタッチパネル１１０４ｃ上に点１２２３ａが、第１のタッチパネル１１０４ａ上に点１２２３ｂがそれぞれ検知される。その後、軌跡１２２１ａ，１２２１ｂに沿って２本の指がそれぞれ移動し隣接部の境界Ｆ１１，Ｆ１２を超して、２つの領域１２２４がタッチされたとする。この時第２のタッチパネル１１０４ｃ上に点１２２４ａが、第１のタッチパネル１１０４ａ上に点１２２４ｂがそれぞれ検知される。すなわち、複数のタッチパネルの隣接部ではない領域に双方にタッチがなされた後、タッチパネルへの離間動作が判断されずに（いわゆるアップメッセージが発行されないで）記複数のタッチパネルの隣接部の双方にタッチがなされたことになる。ここでいう離間動作とは指をタッチパネルから離す動作のことを指す。この時は明らかに、ピンチイン操作を行ったと判断できるので、図９等で説明した判断に関わらず、前記複数のタッチパネルが各々タッチされたと判断する。
【００５８】
撮像装置の背面モニタとして利用した場合を考えると、画像を表示している最中に上記の操作がされると、点１２２５に向かって画像が縮小してユーザーに提示する。タッチ制御部１００２は判断に供する情報、直前のタッチ検出位置の情報などを、タッチ制御部１００２内の記憶部１００２ｄに格納しておけばよい。
【００５９】
最後に図１５を用いて本発明に示した表示装置のタッチ制御部の処理の例を示す。図１５はタッチ制御部の処理の流れを示したフローチャートである。以下図１５を用いてタッチ制御部の処理について順を追って説明する。
【００６０】
ステップＳ１０００は動作の開始を示すステップである。表示装置の電源ＯＮなどが対応する。次にステップＳ１００１に進む。
【００６１】
ステップＳ１０１０はパネル状態を取得するステップである。図７においてパネル状態検知部１０１を利用して読み取り部１００２ａがパネルの状態を取得する動作である。次にステップＳ１０２０に進む。
【００６２】
捨てプＳ１０２０はタッチ位置を取得するステップである。図７において、第１のタッチパネル１１０４ａおよび第２のタッチパネル１１０４ｃを利用して読み取り部１００２ａがタッチパネルへのタッチ状態に関する情報を取得する動作である。次にステップＳ１０３０に進む。
【００６３】
ステップＳ１０３０は展開状態にあるか否かを判断するステップである。展開状態にある時はステップＳ１０５０に進み展開状態に無いときはステップＳ１０４０に進む。ステップＳ１０４０は通常のタッチ判断を行うステップであり、本発明の範囲外である。
【００６４】
ステップＳ１０５０は隣接部に複数のタッチがあるか否かを判断するステップである。隣接部に複数のタッチがあった場合はステップＳ１１００に進み、隣接部に複数のタッチが無い場合はステップＳ１０６０に進む。
【００６５】
ステップＳ１０６０は隣接部ではない個所に複数のタッチがあるか否かを判断するステップである。隣接部ではない個所に複数のタッチがあった場合はステップＳ１０７０に進み、隣接部ではない個所に複数のタッチが無い場合はステップＳ１０４０に進む。
【００６６】
ステップＳ１０７０は隣接部ではない個所に複数のタッチがあったことを記憶するステップである。後程ステップＳ１１００でピンチイン判断するためにこの情報を記憶部１００２ｄに記憶する。
【００６７】
ステップＳ１０８０は直前が統合判断か否かを判断するステップである。直前が統合判断だった場合はステップＳ１０９０に進み、直前が統合判断ではない場合はステップＳ１０４０に進む。統合判断とは、後述するステップＳ１１２０で複数のタッチパネルの結果を統合してタッチ位置を決定した場合を指す。より具体的には、図９で説明したように屈曲部１０４ｂを跨いで複数のタッチがなされた時に、重心位置などをタッチ位置として検知する場合を指す。また、直前が統合判断であるとは、タッチパネルへの離間動作が判断されずに前記複数のタッチパネルの隣接部ではない領域に双方にタッチがなされた場合と同義である。
【００６８】
ステップＳ１０９０に進むのは、展開状態にあり、隣接部に複数のタッチが無く、隣接部ではない個所に複数のタッチがあり、直前が統合判断された時である。これは、図１３で説明したピンチアウト動作がなされた時である。ステップＳ１０９０ではピンチアウト動作がなされたとして、複数のタッチパネルが設けられていない領域へのタッチ判断を棄却して改めて、隣接部の双方に各々タッチされたと判断する。
【００６９】
ステップＳ１１００は直前が隣接部ではない個所に複数のタッチがなされたか否かを判断するステップである。直前が隣接部ではない個所に複数のタッチがなされた場合はステップＳ１１１０に進み、そうでない場合はステップＳ１１２０に進む。ステップＳ１１００ではステップＳ１０７０で格納した結果を参照し、１サンプル前に複数のタッチが隣接部近傍でなされたかどうかを判定する。直前が隣接部ではない個所に複数のタッチがなされた場合とは、タッチパネルへの離間動作が判断されずに前記複数のタッチパネルの隣接部の双方にタッチがなされた場合と同義である。
【００７０】
ステップＳ１１１０に進むのは、展開状態にあり、隣接部に複数のタッチがあり、直前が隣接部ではない個所に複数のタッチがなされた時である。これは図１４で説明したピンチイン動作がなされた時である。ステップＳ１１１０ではピンチイン動作がなされたとして、複数のタッチパネルへのタッチを統合して判断せず、複数のタッチパネルが各々タッチされたと判断する。
【００７１】
ステップＳ１１２０に進むのは、展開状態にあり、隣接部に複数のタッチがあり、直前が隣接部ではない個所に複数のタッチがなされていない時である。これは図８から図１１に説明したような場合であり、前記複数のタッチパネルの隣接部の双方にタッチがなされた場合に前記表示部の上であって前記複数のタッチパネルが設けられていない領域がタッチされたたと判断する。この判断を統合判断としてこの図では表現した。
【００７２】
ステップＳ１１３０は統合判断をしたことを記憶するステップである。ステップＳ１０８０でピンチアウト判断するためにこの情報を記憶部１００２ｄに記憶する。
【００７３】
ステップＳ１０４０、ステップＳ１０９０、ステップＳ１１１０、ステップＳ１１３０を終えるとステップＳ１１４０に進む。ステップＳ１１４０は通知を行うステップであり、図２において、通知部１００２ｃが表示制御部１００３にタッチ制御部１００２の判断結果を通知するステップである。
【００７４】
ステップＳ１１５０は停止を行うか否かを判断するステップである。表示を停止する場合などである。停止する場合にはステップＳ１１６０に進み、そうでない場合はステップＳ１０１０に戻って動作を繰り返す。
【００７５】
ステップＳ１１６０は終了を示すステップである。
【００７６】
以上に説明した様に、本発明によると携帯性と閲覧性を両立しながら、表示面積を大きく確保するとともに適当なタッチパネル操作可能な表示装置を提供することが出来る。
【符号の説明】
【００７７】
１００  表示装置、１０１  第１パネル、１０２  ：第２パネル、
１０３  スライダー、１０４  ：ディスプレイ（表示部）、
１１０１ａ，１１０１ｃ  隣接部、１１０４ａ  第１のタッチパネル、
１１０４ｃ  第２のタッチパネル、１００２  タッチ制御部
【図１】
2020057123.tif 000003
【図２】
2020057123.tif 000004
【図３】
2020057123.tif 000005
【図４】
2020057123.tif 000006
【図５】
2020057123.tif 000007
【図６】
2020057123.tif 000008
【図７】
2020057123.tif 000009
【図８】
2020057123.tif 000010
【図９】
2020057123.tif 000011
【図１０】
2020057123.tif 000012
【図１１】
2020057123.tif 000013
【図１２】
2020057123.tif 000014
【図１３】
2020057123.tif 000015
【図１４】
2020057123.tif 000016
【図１５】
2020057123.tif 000017